(57)【特許請求の範囲】
【請求項１】
パケット状のデータ信号を変調する変調部と、
前記変調部において変調したデータ信号の振幅成分を調節する調節部と、
前記調節部において調節したデータ信号を増幅して出力する増幅部と、
前記増幅部の動作を制御する制御部と、を備え、
前記制御部は、パケットの先頭のタイミングにて前記増幅部の動作をオンにし、
前記増幅部は、前記制御部によってオンにされる場合に、パケットの先頭部分において過渡応答を生じ、
前記調節部は、前記増幅部での過渡応答の逆特性に応じて、前記変調部において変調したデータ信号の振幅成分を調節し、
前記制御部は、複数のタイムスロットを規定し、タイムスロットの中にパケット状のデータ信号を配置させており、
前記調節部は、前記制御部からタイムスロットが連結され、パケット状のデータ信号が複数のタイムスロットにまたがることを通知されると、連結されたタイムスロット内の後段のタイムスロットの先頭部分において、振幅成分の調節を中止することを特徴とする送信装置。
【請求項２】
パケット状のデータ信号を変調する変調部と、
前記変調部において変調したデータ信号の振幅成分を調節する調節部と、
前記調節部において調節したデータ信号を増幅して出力する増幅部と、
前記増幅部の動作を制御する制御部と、を備え、
前記制御部は、パケットの先頭のタイミングにて前記増幅部の動作をオンにし、
前記増幅部は、前記制御部によってオンにされる場合に、パケットの先頭部分において過渡応答を生じ、
前記調節部は、前記増幅部での過渡応答の逆特性に応じて、前記変調部において変調したデータ信号の振幅成分を調節し、
前記制御部は、複数のタイムスロットを規定し、タイムスロットの中にパケット状のデータ信号を配置させており、
前記調節部は、前記制御部から連続したタイムスロットのそれぞれに、パケット状のデータ信号が割り当てられることを通知されると、連続されたタイムスロット内の後段のタイムスロットの先頭部分において、別の逆特性を使用することを特徴とする送信装置。
【請求項３】
パケット状のデータ信号を入力する入力部と、
前記入力部において入力したデータ信号の包絡線成分を導出する導出部と、
前記入力部において入力したデータ信号の振幅成分を調節する調節部と、
前記調節部において調節したデータ信号を変調する変調部と、
前記変調部において変調したデータ信号から包絡線成分を除去するリミッタと、
前記リミッタにおいて包絡線成分を除去したデータ信号に対して、前記導出部において導出した包絡線成分を再現するように、増幅を実行する増幅部と、
前記増幅部の動作を制御する制御部と、を備え、
前記制御部は、パケットの先頭のタイミングにて前記増幅部の動作をオンにし、
前記増幅部は、前記制御部によってオンにされる場合に、パケットの先頭部分において過渡応答を生じ、
前記調節部は、前記増幅部での過渡応答の逆特性を包絡線成分の値に応じて複数種類記憶しており、前記導出部において導出した包絡線成分の値をもとに選択した逆特性に応じて、前記入力部において入力したデータ信号の振幅成分を調節し、
前記制御部は、複数のタイムスロットを規定し、タイムスロットの中にパケット状のデータ信号を配置させており、
前記調節部は、前記制御部からタイムスロットが連結され、パケット状のデータ信号が複数のタイムスロットにまたがることを通知されると、連結されたタイムスロット内の後段のタイムスロットの先頭部分において、振幅成分の調節を中止することを特徴とする送信装置。
【請求項４】
パケット状のデータ信号を入力する入力部と、
前記入力部において入力したデータ信号の包絡線成分を導出する導出部と、
前記入力部において入力したデータ信号の振幅成分を調節する調節部と、
前記調節部において調節したデータ信号を変調する変調部と、
前記変調部において変調したデータ信号から包絡線成分を除去するリミッタと、
前記リミッタにおいて包絡線成分を除去したデータ信号に対して、前記導出部において導出した包絡線成分を再現するように、増幅を実行する増幅部と、
前記増幅部の動作を制御する制御部と、を備え、
前記制御部は、パケットの先頭のタイミングにて前記増幅部の動作をオンにし、
前記増幅部は、前記制御部によってオンにされる場合に、パケットの先頭部分において過渡応答を生じ、
前記調節部は、前記増幅部での過渡応答の逆特性を包絡線成分の値に応じて複数種類記憶しており、前記導出部において導出した包絡線成分の値をもとに選択した逆特性に応じて、前記入力部において入力したデータ信号の振幅成分を調節し、
前記制御部は、複数のタイムスロットを規定し、タイムスロットの中にパケット状のデータ信号を配置させており、
前記調節部は、前記制御部から連続したタイムスロットのそれぞれに、パケット状のデータ信号が割り当てられることを通知されると、連続されたタイムスロット内の後段のタイムスロットの先頭部分において、別の逆特性を使用することを特徴とする送信装置。
【発明の詳細な説明】
【技術分野】
【０００１】
本発明は、送信技術に関し、特に増幅した信号を送信する送信装置に関する。
【背景技術】
【０００２】
近年、周波数有効利用のためにＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＣＤＭＡ（Ｃｏｄｅ  Ｄｉｖｉｓｉｏｎ  Ｍｕｌｔｉｐｌｅ  Ａｃｃｅｓｓ）等の方式を使用した携帯電話等の無線装置が実現されている。特にＴＤＭＡシステムやＴＤＤシステムでは時分割で多重あるいは双方向通信を行っているために、送受信はタイムスロットごとになされる。このようなシステムの送信側（以下、「送信装置」という）において、送信波の出力レベルが変動すると、変動精度が悪化するおそれがある。そのため、送信波の出力レベルは、安定している方が望ましい（例えば、特許文献１参照）。
【特許文献１】特開２００４−４０５５３号公報
【発明の開示】
【発明が解決しようとする課題】
【０００３】
タイムスロットごとに送受信がなされる場合、電力増幅器やＬＮＡ（Ｌｏｗ  Ｎｏｉｓｅ  Ａｍｐｌｉｆｉｅｒ）等は省電力化を目的として、送信あるいは受信する期間（以下、「通信区間」という）だけオンするような制御がなされる。また最近では、ＯＦＤＭのような線形性を求められるシステムになり、高線形性増幅器が必要になり、ＬＤ−ＭＯＳやＧａＮ等の高電圧動作のデバイスが使用されている。このような状況下において、通信区間において電力増幅器等をオンにした場合に、初期の立ち上がり時に過渡応答が発生する。特に、高い電圧での動作の場合、過渡応答の影響が大きくなるおそれがある。上記のような過渡応答が生じた状態で電力増幅器に信号を通過させた場合に、信号波形が変形してしまい、その結果ＥＶＭ（Ｅｒｒｏｒ  Ｖｅｃｔｏｒ  Ｍａｇｎｉｔｕｄｅ）が悪化してしまう。また、このような過渡応答は非線形的な歪ではないので、線形補償回路自体では過渡応答を補正できない。
【０００４】
本発明はこうした状況に鑑みてなされたものであり、その目的は、増幅器をオフからオンに切りかえた場合に発生する過渡応答の影響を低減する技術を提供することである。
【課題を解決するための手段】
【０００５】
上記課題を解決するために、本発明のある態様の送信装置は、パケット状のデータ信号を変調する変調部と、変調部において変調したデータ信号の振幅成分を調節する調節部と、調節部において調節したデータ信号を増幅して出力する増幅部と、増幅部の動作を制御する制御部とを備える。制御部は、パケットの先頭のタイミングにて増幅部の動作をオンにし、増幅部は、制御部によってオンにされる場合に、パケットの先頭部分において過渡応答を生じ、調節部は、増幅部での過渡応答の逆特性に応じて、変調部において変調したデータ信号の振幅成分を調節する。
【０００６】
本発明の別の態様もまた、送信装置である。この装置は、パケット状のデータ信号を入力する入力部と、入力部において入力したデータ信号の包絡線成分を導出する導出部と、入力部において入力したデータ信号の振幅成分を調節する調節部と、調節部において調節したデータ信号を変調する変調部と、変調部において変調したデータ信号から包絡線成分を除去するリミッタと、リミッタにおいて包絡線成分を除去したデータ信号に対して、導出部において導出した包絡線成分を再現するように、増幅を実行する増幅部と、増幅部の動作を制御する制御部とを備える。制御部は、パケットの先頭のタイミングにて増幅部の動作をオンにし、増幅部は、制御部によってオンにされる場合に、パケットの先頭部分において過渡応答を生じ、調節部は、増幅部での過渡応答の逆特性を包絡線成分の値に応じて複数種類記憶しており、導出部において導出した包絡線成分の値をもとに選択した逆特性に応じて、入力部において入力したデータ信号の振幅成分を調節する。
【０００７】
なお、以上の構成要素の任意の組合せ、本発明の表現を方法、装置、システム、記録媒体、コンピュータプログラムなどの間で変換したものもまた、本発明の態様として有効である。
【発明の効果】
【０００８】
本発明によれば、増幅器をオフからオンに切りかえた場合に発生する過渡応答の影響を低減できる。
【発明を実施するための最良の形態】
【０００９】
本発明を具体的に説明する前に、まず概要を述べる。本発明の実施例は、第２世代コードレス電話システムのごとく、ＴＤＭＡ方式およびＴＤＤ方式に対応した通信システムに関する。そのため、通信システムにおけるフレームは、複数のタイムスロットが時間分割多重されることによって形成されている。ここでは、特に、送信装置に着目する。送信装置は、電力増幅器を備えており、当該電力増幅器は、データ信号が配置されたタイムスロット（以下、タイムスロットに配置されたデータ信号を「パケット信号」と呼ぶこともある）の先頭タイミングにオンにされる。そのため、オンになった直後、つまりタイムスロットの先頭部分では、過渡応答が発生する。その結果、当該部分において、ＥＶＭが悪化する。これに対応するために、本実施例に係る送信装置は、次の処理を実行する。
【００１０】
送信装置は、過渡応答の逆特性を補正係数として予め記憶しており、タイムスロットの先頭タイミングを検出すると、先頭部分に対応したデータ信号に補正係数を乗算する。ここで、補正係数の振幅特性と、過渡応答の振幅特性との乗算は１になるので、送信すべき信号に対する過渡応答の影響が低減される。また、最近では伝送速度を上げるために、スロット連結やダイナミックスロットアサインが使用される。スロット連結は、連続したタイムスロットを連結してタイムスロット間でも信号を送信する技術である。また、ダイナミックスロットアサインは、Ｄｏｗｎｌｉｎｋ／Ｕｐｌｉｎｋの比を自由に変更しており、例えば、ＷｉＭＡＸ（商標）にて使用される。これらでは、過渡応答の時間が変わる。そのため、送信装置は、スロット連結を行った場合に、連結した２つ目以降のタイムスロットに対して補正を行わないように制御する。また、送信装置は、補正する期間を変更可能なように制御する。
【００１１】
図１は、本発明の実施例に係る送信装置１００の構成を示す。送信装置１００は、ＳＰ変換部１０、変調部１２と総称される第１変調部１２ａ、第２変調部１２ｂ、第Ｎ変調部１２ｎ、ＩＤＦＴ部１４、ＧＩ挿入部１６、補正部１８、ＤＡ変換部２０、周波数変換部２２、増幅部２４、アンテナ２６、制御部３０を含む。
【００１２】
ＳＰ変換部１０は、パケット信号を入力し、パケット信号の形式をシリアルからパラレルに変換する。ここで、送信装置１００は、ＯＦＤＭ変調方式に対応しており、ＳＰ変換部１０は、入力したパケット信号のビット列に対して、サブキャリア別にシンボルマッピングを実行する。変調部１２は、各サブキャリアに対応するように設けられており、パケット信号を変調する。つまり、変調部１２は、サブキャリアごとに入力したデータ信号を同相・直交成分に複素変調する。ＩＤＦＴ部１４は、変調部１２からのパケット信号に対して、逆離散フーリエ変換を実行する。つまり、ＩＤＦＴ部１４は、周波数領域の信号を時間領域の信号に変換する。その結果、サブキャリアごとのデータ信号の直交性は維持される。ＧＩ挿入部１６は、ＩＤＦＴ部１４からのパケット信号に対して、シンボルごとにガードインターバルを挿入する。ガード・インターバルはサイクリック・プレフィックスとも呼ばれる。
【００１３】
補正部１８は、ＧＩ挿入部１６からのパケット信号の振幅成分の値を調節する。具体的には、補正部１８は、後述する増幅部２４での過渡応答の逆特性に応じて、パケット信号の先頭部分での振幅成分を補正する。ここでは、このことをさらに具体的に説明する。後述の増幅部２４は、ＴＤＭＡ方式やＴＤＤ方式において、一般的にパケット信号を送信する区間、つまりタイムスロットの期間にてオンされるために、パケット信号の先頭部分では、過渡応答が生じる。過渡応答とは、電源をオンしたときあるいはオフしてときに、増幅部２４の増幅率が定常的な値にならない現象である。特にＯＦＤＭ変調方式は、シングルキャリア方式よりも増幅特性に高線形性を要求するので、増幅部２４として、ＬＤ−ＭＯＳやＧａＮ等が使用される。そのため、電源電圧は２８Ｖや４８Ｖのごとく高くなり、過渡応答はさらに悪化する。
【００１４】
図２は、送信装置１００の比較対象において発生する過渡応答を示す。図２は、増幅部２４に正弦波を入力したときの出力を示す。図２の横軸が時間を示し、縦軸が振幅を示す。ここでは、時間的に隔離されたふたつのタイムスロットに、正弦波を配置する。図示のごとく、各タイムスロットにおいて、最初の部分では、後方の部分よりも振幅が大きくなっており、時間の経過とともに振幅の値が小さくなる。最初の部分が、前述のパケット信号の先頭部分に相当し、時間とともに振幅の値が小さくなっていく現象が過渡応答に相当する。このような過渡応答は、ＥＶＭに影響を与える。図１に戻る。このような現象に対応するために、補正部１８は、過渡応答の逆特性を補正係数として予め記憶する。
【００１５】
図３は、補正部１８に記憶された補正係数を示す。横軸が時間を示し、縦軸が補正係数を示す。横軸の左側がタイムスロットの先頭タイミングに相当する。また、補正係数は、補正部１８に入力された信号の振幅に乗算される。補正部１８は、制御部３０からタイムスロットの先頭タイミングを通知されると、図３の左側端の補正係数をパケット信号に乗算する。また、時間の経過とともに、補正部１８は、左側から右側へシフトしながら補正係数を抽出し、抽出した補正係数をパケット信号に乗算する。つまり、補正部１８は、タイムスロットの先頭タイミングから時間経過とともに、値が大きくなるような補正係数を使用する。パケット信号の時系列順に図３のような補正係数を乗算することによって、補正部１８は、過渡応答とは逆の振幅特性を生成する。図示のごとく、所定のタイミング以降、補正係数は「１」になるが、補正部１８は、その際、乗算を中止してもよいし、「１」の値を乗算してもよい。図１に戻る。
【００１６】
ＤＡ変換部２０は、補正部１８からのパケット信号に対して、デジタル信号からアナログ信号への変換を実行する。周波数変換部２２は、ＤＡ変換部２０からのパケット信号を直交変調するとともに、無線周波数帯へ周波数変換する。増幅部２４は、周波数変換部２２からのパケット信号を増幅して、アンテナ２６から出力する。つまり、増幅部２４はパケット信号を送信レベルまで増幅する。前述のごとく、増幅部２４は、制御部３０によってオンにされる場合に、タイムスロットの先頭部分、つまりパケット信号の先頭部分において過渡応答を生じる。しかしながら、補正部１８において過渡応答の逆特性がパケット信号に乗算されているので、増幅部２４での過渡応答が軽減される。
【００１７】
制御部３０は、複数のタイムスロットを規定し、タイムスロットの中にパケット信号を配置させる。制御部は、タイムスロットにパケット信号が配置されていれば、タイムスロットの先頭タイミング、つまりパケット信号の先頭タイミングにて増幅部２４の動作をオンにする。つまり、制御部３０は、増幅部２４に電源電圧を印加することによって、増幅部２４の動作を制御する。また、制御部３０は、増幅部２４をオンにするタイミングを補正部１８にも通知する。
【００１８】
制御部３０は、タイムスロットを連結してもよい。その結果、パケット信号は、複数のタイムスロットにまたがるように配置される。その際、制御部３０は、連結したタイムスロットの期間にわたって、増幅部２４をオンし続ける。そのときの過渡応答は、図２の各パケット信号に対する出力特性がさらに後に続くような特性になる。その際、増幅部２４の出力特性は、ほぼ一定の値を維持する。また、制御部３０は、タイムスロットを連結している旨を補正部１８に通知する。補正部１８は、後段のタイムスロットの先頭部分において、振幅成分の調節を中止する。つまり、制御部３０は、補正係数の乗算を中止するか、「１」の値を乗算し続ける。これは、補正係数をスロット連結に合わせたものに変更して、スロット連結に合わせて補正することに相当する。また、上り／下りの比率が変わった場合にも同じように補正する期間が変更されて最適な補正係数での補正がなされる。
【００１９】
また、制御部３０は、連続したタイムスロットのそれぞれに、パケット信号を配置することもある。これは、図２において連続していないふたつタイムスロットにパケット信号を配置しているが、ふたつの間のタイムスロットにもパケット信号を配置させる場合である。図４は、送信装置１００の比較対象において発生する別の過渡応答を示す。図示のごとく、連続したタイムスロットのそれぞれに、パケット信号が配置されている。図より明らかなように、先頭のタイムスロット、つまり前段にパケット信号を配置したタイムスロットが存在しない場合の過渡応答と、前段にパケット信号を配置したタイムスロットが存在する場合の過渡応答とは異なっている。
【００２０】
これに対応するため、制御部３０は、図３に示した補正係数とは別の補正係数を予め記憶する。別の補正係数は、前段にパケット信号を配置したタイムスロットが存在する場合の過渡応答の逆特性に相当する。つまり、別の補正係数では、タイムスロットの先頭部分の値が、図３に示した補正係数での値よりも大きくなっている。補正部１８は、制御部３０から、増幅部２４をオンにするタイミングを受けつけるが、受けつけたタイミングが、複数のタイムスロットにわたって連続している場合に、後段のタイムスロットの先頭部分において、別の逆特性を使用する。
【００２１】
この構成は、ハードウエア的には、任意のコンピュータのＣＰＵ、メモリ、その他のＬＳＩで実現でき、ソフトウエア的にはメモリにロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００２２】
以上の構成による送信装置１００の動作を説明する。図５は、送信装置１００における補正手順を示すフローチャートである。スロット連結がなく（Ｓ１０のＮ）、前段のタイムスロットが使用されていなければ（Ｓ１２のＮ）、補正部１８は、補正係数Ａを使用する（Ｓ１４）。補正係数Ａとは、図３に示した補正係数に相当する。前段のタイムスロットが使用されていれば（Ｓ１２のＹ）、補正部１８は、補正係数Ｂを使用する（Ｓ１６）。補正係数Ｂとは、図３に示した補正係数とは別の補正係数であり、前段にパケット信号を配置したタイムスロットが存在する場合の過渡応答の逆特性に相当する。一方、スロット連結があれば（Ｓ１０のＹ）、補正部１８は、タイムスロットの間での補正を中止する（Ｓ１８）。
【００２３】
以下に変形例を説明する。変形例は、ＥＥＲ（Ｅｎｖｅｌｏｐｅ  Ｅｌｉｍｉｎａｔｉｏｎ  ａｎｄ  Ｒｅｓｔｏｒａｔｉｏｎ）への適用を説明する。なお、ＥＥＲは、公知の技術であるので、ここでは詳細な説明を省略する。電力増幅器の線形性を伸ばし、電力効率を向上させる場合に、ＥＥＲは、電力増幅器のバイアス電圧を制御するので、過渡応答の特性が変化する。これに対応するために、変形例は、バイアス電圧に応じて補正係数を変化させる。なお、実施例は、ＯＦＤＭ変調方式を使用していたが、変形例は、シングルキャリア方式を使用する。
【００２４】
図６は、本発明の変形例に係る送信装置１１０の構成を示す。送信装置１１０は、Ｉ／Ｑマッピング部５０、フィルタ部５２、補正部５４、ＤＡ変換部５６、変調部５８、リミタ６０、増幅部６２、アンテナ６４、ＤＡ変換部６８、電圧制御部７０、スイッチ部７２、制御部７４を含む。また、補正部５４は、包絡線計算部６６を含む。
【００２５】
Ｉ／Ｑマッピング部５０は、パケット信号を入力する。Ｉ／Ｑマッピング部５０は、入力したパケット信号をＩ／Ｑデータに変換する（以下、ＩＱデータに変換したパケット信号も「パケット信号」という）。フィルタ部５２は、低域通過フィルタであり、Ｉ／Ｑマッピング部５０からのパケット信号を帯域制限する。フィルタ部５２によって帯域制限された信号は、後述の変調部５８に加えられるが、変調部５８において変調された信号は、Ｉ・ｃｏｓωｃｔ−Ｑ・ｓｉｎωｃｔのように示される。この信号の振幅成分と位相成分は、次のように示される。
Λ＝√（Ｉ２＋Ｑ２）、φ＝ｓｇｎ（Ｑ）ｃｏｓ−１（Ｉ／Ａ）
ここで、ｓｇｎ（Ｑ）は数値の符号を調べる関数である。このように変調された信号は、さらに後段のリミタ６０において、振幅成分を除去される。振幅成分は、包絡線によっても示される。なお、包絡線は、後述の増幅部６２において、バイアス電圧が制御されることによって復活される。
【００２６】
包絡線計算部６６は、フィルタ部５２からのパケット信号を入力し、包絡線成分を導出する。これは、後段のリミタ６０において除去される振幅成分を予め導出することに相当する。具体的には、包絡線計算部６６は、前述のΛを計算することによって、包絡線を導出する。ＤＡ変換部６８は、包絡線計算部６６において導出した包絡線をアナログ信号に変換する。電圧制御部７０は、スイッチ部７２を介して、増幅部６２のバイアス電圧を制御する。つまり、電圧制御部７０は、リミタ６０において除去された振幅成分を復活させるために、ＤＡ変換部６８からのアナログ信号の大きさに応じて、増幅部６２のバイアス電圧を制御する。スイッチ部７２は、タイムスロットの区間にわたって増幅部６２に対してバイアス電圧を印加する。スイッチ部７２は、タイムスロットの区間の通知を制御部７４から受けつける。その結果、スイッチ部７２がオフからオンになったとき、つまりタイムスロットの先頭タイミングにおいて、増幅部６２に過渡応答が生じる。
【００２７】
補正部５４は、フィルタ部５２から入力したパケット信号の振幅成分を調節する。補正部５４は、図１の補正部１８と同様に、増幅部６２の過渡特性の逆特性を補正係数として予め記憶しており、補正係数によってパケット信号の振幅成分を補正する。また、補正部５４は、タイムスロットの先頭タイミングを制御部７４から受けつけると、補正を開始する。ここで、補正部５４は、包絡線成分の値に応じて、補正係数を複数種類記憶する。増幅部６２にて発生する過渡応答は、バイアス電圧の値に応じて異なり、増幅部６２に印加されるバイアス電圧の値は、包絡線の大きさに応じて異なる。そのため、異なった過渡応答を補正するために、補正部５４は、複数種類の補正係数を記憶する。
【００２８】
各補正係数は、図３と同様の形状を有しているが、値そのものが異なっている。補正部５４は、包絡線計算部６６において導出した包絡線をもとに、ひとつの補正係数を選択する。また、補正部５４は、選択した補正係数を使用しながら、実施例と同様にパケット信号の振幅成分を補正する。つまり、スイッチ部７２は送信する区間のみ増幅部６２をオンにするが、オンした直後に増幅部６２では過渡応答が発生する。その過渡応答の影響を低減するために、補正部５４は、包絡線を補正する。ただし、バイアス電圧により過渡応答は変化するために、補正部５４は、包絡線Λの値により異なった補正係数を選択する。
【００２９】
ＤＡ変換部５６は、補正部５４からのパケット信号に対して、デジタル−アナログ変換を実行する。変調部５８は、ＤＡ変換部５６からのパケット信号を変調する。リミタ６０は、変調部において変調したパケット信号から、包絡線成分を除去する。増幅部６２は、包絡線計算部６６において導出した包絡線成分を再現するように、リミタ６０において包絡線成分を除去したパケット信号を増幅する。また、前述のごとく、増幅部６２は、スイッチ部７２によってオンにされる場合に、タイムスロットの先頭部分において過渡応答を生じる。制御部７４は、補正部５４、スイッチ部７２の動作を制御しており、タイムスロットの先頭のタイミングをそれらに通知する。
【００３０】
本発明の実施例によれば、増幅部において生じる過渡応答の逆特性に応じて振幅成分を調節するので、過渡応答の影響を低減できる。また、時間の経過とともに変化する補正係数を使用するので、増幅器をオフからオンに切りかえた場合に発生する過渡応答の影響を低減できる。また、タイムスロットの先頭タイミングを起点として補正係数を規定するので、過渡応答の逆特性を再現させることができる。また、タイムスロットが連結している場合に、後段のタイムスロットにおいて補正を中止するので、タイムスロットにも対応できる。
【００３１】
また、連続したタイムスロットにパケット信号が配置されている場合と、配置されていない場合とに応じて補正係数を変更するので、実際に生じる過渡応答に適した補正を実行できる。また、過渡応答の影響を低減するので、ＥＶＭの悪化を抑制できる。また、ＥＶＭの悪化が抑制されるので、通信品質の悪化を抑制できる。また、包絡線の値に応じて、複数種類の補正係数を用意するので、バイアス電圧が変化することによって、過渡応答が変化する場合にも、過渡応答の影響を低減できる。また、スロット連結を考慮したり、バイアス電圧を考慮したりもしながら過渡応答を補正することにより、ＥＶＭの悪化を浴せできる。
【００３２】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００３３】
本実施例においてＯＦＤＭ変調方式を使用し、変形例においてシングルキャリア方式を使用した。しかしながらこれに限らず、上記の関係が逆であってもよく、本変形例にシングルキャリア方式を使用し、変形例にＯＦＤＭ変調方式を使用してもよい。本変形例によれば、本発明をさまざまな通信方式に適用できる。また、ＥＥＲは、ＤＰＤであってもよい。
【図面の簡単な説明】
【００３４】
【図１】本発明の実施例に係る送信装置の構成を示す図である。
【図２】図１の送信装置の比較対象において発生する過渡応答を示す図である。
【図３】図１の補正部に記憶された補正係数を示す図である。
【図４】図１の送信装置の比較対象において発生する別の過渡応答を示す図である。
【図５】図１の送信装置における補正手順を示すフローチャートである。
【図６】本発明の変形例に係る送信装置の構成を示す図である。
【符号の説明】
【００３５】
１０  ＳＰ変換部、  １２  変調部、  １４  ＩＤＦＴ部、  １６  ＧＩ挿入部、  １８  補正部、  ２０  ＤＡ変換部、  ２２  周波数変換部、  ２４  増幅部、  ２６  アンテナ、  ３０  制御部、  ３２  記憶部、  ５０  Ｉ／Ｑマッピング部、  ５２  フィルタ部、  ５４  補正部、  ５６  ＤＡ変換部、  ５８  変調部、  ６０  リミタ、  ６２  増幅部、  ６４  アンテナ、  ６６  包絡線計算部、  ６８  ＤＡ変換部、  ７０  電圧制御部、  ７２  スイッチ部、  ７４  制御部、  ７６  記憶部、  １００  送信装置、  １１０  送信装置。
【図１】
0005101970.tif 000002
【図３】
0005101970.tif 000003
【図５】
0005101970.tif 000004
【図６】
0005101970.tif 000005
【図２】
0005101970.tif 000006
【図４】
0005101970.tif 000007